(57)【特許請求の範囲】
【請求項１】
複数の映像信号を入力し入力した映像信号に対して複数の分割画面の表示形態に従った処理を行う映像信号処理手段と、映像信号処理手段に入力される映像信号の垂直方向と水平方向の位置を検出して各方向の位置を示す位置信号を出力する映像位置検出手段と、画面上に表示された映像の輪郭強調の強弱レベルとして映像信号の垂直方向と水平方向の位置に関連づけて設定されたレベル制御信号を前記位置信号に応答して垂直方向と水平方向について出力するレベル制御手段と、前記映像信号処理手段により処理された映像信号を前記レベル制御信号に従って強調して輪郭を強調するための信号を生成する輪郭強調手段とを備え、前記レベル制御手段は、複数の分割画面の表示形態に応じて任意の画面位置で任意のレベルの輪郭強調を行うためのレベル制御信号を生成し、かつ、前記複数の分割画面のうちいずれかの分割画面に文字・図形の映像が表示されるときには、前記文字・図形の映像が表示される分割画面に用いる輪郭強調の強弱レベルとして、他の分割画面に対する輪郭強調の強弱レベルよりも弱いレベル制御信号を生成してなる映像信号処理装置。
【請求項２】
前記輪郭強調手段は、前記映像信号処理手段により処理された映像信号から広域成分を抽出し、抽出した成分を前記レベル制御信号に従った輪郭強調レベルで前記映像信号に付加して輪郭の強調された映像信号を生成する２次元輪郭強調手段から構成されてなる請求項１記載の映像信号処理装置。
【請求項３】
前記輪郭強調手段は、前記映像信号処理手段により処理された映像信号を、前記レベル制御信号に従って受像管の電子ビームの垂直方向と水平方向の速度を変調するための速度変調信号に変換する速度変調手段から構成されてなる請求項１記載の映像信号処理装置。
【請求項４】
前記輪郭強調手段は、入力された映像信号から広域成分を抽出し、抽出した成分を前記レベル制御信号に従った輪郭強調レベルで前記映像信号に付加して輪郭の強調された映像信号を生成する２次元輪郭強調手段と、入力された映像信号を、前記レベル制御信号に従って受像管の電子ビームの垂直方向と水平方向の速度を変調するための速度変調信号に変換する速度変調手段とを備えて構成されてなる請求項１記載の映像信号処理装置。
【請求項５】
前記映像信号処理手段は、画面の表示形態として単一画面による拡大映像を表示するときには拡大映像に応じたアスペクト比の変換処理を行い、画面の表示形態として複数の分割画面を同時に表示するときには多画面表示処理を行い、各表示形態に応じた映像信号を生成してなる請求項１記載の映像信号処理装置。
【発明の詳細な説明】
【０００１】
【発明の属する技術分野】
本発明は、映像信号処理装置に係り、特に、表示形態に応じて映像信号のアスペクト比を変換したり、複数の分割画面を同時に表示するための変換処理を行ったりするのに好適な映像信号処理装置に関する。
【０００２】
【従来の技術】
近年、テレビジョン受信装置として、ワイドテレビと称し、表示画面が１６：９のアスペクト比を有するものが急速に普及している。この種のワイドテレビは、放送局から送信される４：３のアスペクト比を有する映像信号を１６：９のアスペクト比を有する表示画面に表示するための変換処理機能を備えているとともに、テレビジョン受信装置の高付加価値を得るために、複数の分割画面を同時に表示する多画面表示機能を備えている。
【０００３】
このようなテレビジョン受信装置においては、各種の機能を付加するとともに、表示映像の精鋭度を向上し、映像の切れ味をよくして見栄えをよくするために、映像の輪郭を強調して画質の向上を図ることが行われている。例えば、特開平７−１５６６１号公報に記載されているように、メモリを用いて映像信号を圧縮したり拡大したりして輪郭を強調することが行われている。そして映像信号を圧縮したり拡大したりする際しては、補間演算処理による画質劣化の補正と画面全体に同じレベルで均一に輪郭を強調する方法が採用されている。
【０００４】
【発明が解決しようとする課題】
しかし、上記従来技術では、ワイドテレビの画面上に拡大映像を表示したり、複数の分割画面を同時に表示したりするに際して、映像の輪郭を画面の位置によらず同じレベルで強調しているため、画面の表示形態によっては画質が劣化することがある。
【０００５】
具体的には、図１２（ａ）に示すように、４：３のアスペクト比を有する映像の左右両端を徐々に拡大し、１６：９のアスペクト比のワイド画面いっぱいに映像を表示する表示方法（以下、スムーズワイドと称する。）が採用されており、真円の映像を表示する場合でも、真円の映像をワイド画面に表示すると中央部には真円の映像が表示されるが、左右両側の映像は楕円に近い映像となる。この主な表示方法によって映像の輪郭を強調する場合、例えば、（ｂ）に示すように、同じ幅の縦線をスムーズワイドの表示形態で表示するときに、画面全体に同じレベルで均一に輪郭強調を行うと、同じ幅の信号でも、画面の左右両端に近くなるにしたがって線幅が大きくなっていく。このようなスムーズワイドの状態で一般映像の表示画面をみた場合には、両サイドになるにしたがってぼけ感が増していく。
【０００６】
また、他の表示形態とし、図１２（ｃ）に示すように、異なる２つの画面を左右同時に表示する２画面表示方法がある。このような表示方法によって２画面を表示する場合にも、画面全体に同じレベルで均一に輪郭強調を行うと、左画面と右画面の絵柄が異なるときには、（ｄ）に示すように、２画面の境界部分が強調されて、この部分に疑似輪郭が発生する。さらに左画面に一般映像を表示し、右画面に文字や図形などの映像を表示するときに、左右の映像に対して同じレベルの輪郭強調を行うと、文字や図形に疑似輪郭が発生し、画質劣化によって違和感のある画面となり、見ずらい画面となる。
【０００７】
本発明の目的は、画面の表示形態に応じて表示映像の輪郭を強調することができる映像信号処理装置を提供することにある。
【０００８】
【課題を解決するための手段】
前記目的を達成するために、本発明は、複数の映像信号を入力し入力した映像信号に対して複数の分割画面の表示形態に従った処理を行う映像信号処理手段と、映像信号処理手段に入力される映像信号の垂直方向と水平方向の位置を検出して各方向の位置を示す位置信号を出力する映像位置検出手段と、画面上に表示された映像の輪郭強調の強弱レベルとして映像信号の垂直方向と水平方向の位置に関連づけて設定されたレベル制御信号を前記位置信号に応答して垂直方向と水平方向について出力するレベル制御手段と、前記映像信号処理手段により処理された映像信号を前記レベル制御信号に従って強調して輪郭を強調するための信号を生成する輪郭強調手段とを備え、前記レベル制御手段は、複数の分割画面の表示形態に応じて任意の画面位置で任意のレベルの輪郭強調を行うためのレベル制御信号を生成し、かつ、前記複数の分割画面のうちいずれかの分割画面に文字・図形の映像が表示されるときには、前記文字・図形の映像が表示される分割画面に用いる輪郭強調の強弱レベルとして、他の分割画面に対する輪郭強調の強弱レベルよりも弱いレベル制御信号を生成してなる映像信号処理装置を構成したものである。
【００１４】
前記映像信号処理装置を構成するに際しては、以下の要素を付加することができる。
【００１５】
（１）前記輪郭強調手段は、前記映像信号処理手段により処理された映像信号から広域成分を抽出し、抽出した成分を前記レベル制御信号に従った輪郭強調レベルで前記映像信号に付加して輪郭の強調された映像信号を生成する２次元輪郭強調手段から構成されてなる。
【００１６】
（２）前記輪郭強調手段は、前記映像信号処理手段により処理された映像信号を、前記レベル制御信号に従って受像管の電子ビームの垂直方向と水平方向の速度を変調するための速度変調信号に変換する速度変調手段から構成されてなる。
【００１７】
（３）前記輪郭強調手段は、入力された映像信号から広域成分を抽出し、抽出した成分を前記レベル制御信号に従った輪郭強調レベルで前記映像信号に付加して輪郭の強調された映像信号を生成する２次元輪郭強調手段と、入力された映像信号を、前記レベル制御信号に従って受像管の電子ビームの垂直方向と水平方向の速度を変調するための速度変調信号に変換する速度変調手段とを備えて構成されてなる。
【００１８】
（４）前記映像信号処理手段は、画面の表示形態として単一画面による拡大映像を表示するときには拡大映像に応じたアスペクト比の変換処理を行い、画面の表示形態として複数の分割画面を同時に表示するときには多画面表示処理を行い、各表示形態に応じた映像信号を生成してなる。
【００１９】
前記した手段によれば、画面各部における輪郭強調レベルを画面の表示形態に応じて任意に調整するようにしたため、例えば、４：３のアスペクト比を有する映像の左右両端を徐々に拡大し、１６：９のアスペクト比のワイド画面いっぱいに表示する場合でも、左右両側の画質が劣化するのを防止することができるとともに、複数の画面を同時に表示するときでも、各画面の境界の領域に疑似輪郭が発生するのを防止することができる。
【００２０】
【発明の実施の形態】
以下、本発明の一実施形態を図面に基づいて説明する。
【００２１】
図１は本発明の第１実施形態を示すブロック構成図である。図１において、映像信号処理装置は、映像信号処理回路１４、映像位置制御回路１６、レベル切換制御回路１８、画面表示形態制御回路２０、２次元輪郭強調回路２２を備えて構成されており、映像信号処理回路１４が第１の映像信号入力端子１０と第２の映像信号入力端子１２に接続され、２次元輪郭強調回路２２が映像信号出力端子２４に接続されている。
【００２２】
画面表示形態制御回路２０は、視聴者のリモコン操作に応答して、表示形態に応じた各種の指令を映像信号処理回路１４、映像位置制御回路１６、レベル切換制御回路１８に出力する表示形態指令手段として構成されている。例えば、４：３のアスペクト比の映像信号による映像をそのまま表示するための操作が行われたときにはノーマルモードによる処理を指令し、４：３のアスペクト比を有する映像信号を１６：９のアスペクト比を有する表示画面（スムーズワイド）で表示するための操作が行われたときにはスムーズワイドモードによる処理を指令するようになっている。さらに、画面上に単一の画面（単画面）を表示するための操作が行われたときには、単一画面による変換処理を指令し、画面に複数の分割画面を同時に表示するための操作が行われたときには、多画面処理を指令するようになっている。
【００２３】
映像信号処理回路１４は、入力端子１０、１２から入力された映像信号に対して、Ｙ／Ｃ分離及び色復調を行うとともに、画面の表示形態にしたがった処理を行う映像信号処理手段として構成されており、画面を単一画面で表示するときには、ノーマルモードまたはスムーズワイドモードに応じてアスペクト比の変換処理を行い、複数の分割画面を同時に表示するときには多画面処理を行うようになっている。例えば、入力端子１０、１２から入力された映像信号を用いて２画面に映像を表示するときには、各映像信号のうち同一水平期間に属する映像信号をそれぞれ圧縮し、一方の映像信号を同一水平期間内の前半に発生させ、他方の映像信号を後半に発生させ、二つの映像信号を同一水平期間内に発生させる処理を行うようになっている。なお、本実施形態では、２画面に動画を表示するときを想定し、入力端子１０、１２にのみ映像信号が入力されているが、２画面以上の分割画面に動画を同時に表示するときには画面の数に応じた映像信号を入力することで複数の分割画面を同時に表示するときの多画面処理を行うことができる。そして映像信号処理回路１４で処理された映像信号は２次元輪郭強調回路２２に入力される。
【００２４】
一方、映像信号処理回路１４に入力される映像信号のうち入力端子１０に入力される映像信号は映像位置制御回路１６に入力される。映像位置制御回路１６は、入力端子１０に入力された映像信号の垂直方向と水平方向の位置を検出して各方向の位置を示す位置信号（タイミング信号）を出力する映像位置検出手段として構成されている。各方向の位置を示す位置信号は、例えば、映像信号に含まれる垂直同期信号および水平同期信号にそれぞれ同期して発生するようになっている。例えば、レベル切換制御回路１８において水平方向のレベルを３か所で切替るときには、水平同期信号に応答して、一水平期間内に３つのタイミングパルスが水平方向における位置信号として順次出力されるようになっている。そして映像信号制御回路１６から出力された各位置信号はレベル切換制御回路１８に入力される。
【００２５】
レベル切換制御回路１８は、画面上に表示された映像の輪郭強調の強弱レベル（輪郭強調レベル）として、映像信号の垂直方向と水平方向の位置に関連づけて設定されたレベル制御信号を位置信号に応答して垂直方向と水平方向について出力するレベル制御手段として構成されている。このレベル制御信号としては、例えば、図２に示すように、映像信号の水平方向の位置に関連づけて強弱レベルＨ１が設定され、映像信号の垂直方向の強弱レベルＶ１が設定されている。レベルＨ１は、画面中央部のレベルと画面中央部両側のレベルが相異なるレベルに設定され、画面中央部のレベルよりも画面中央両側のレベルが徐々に高く（強く）なるように設定されている。またレベルＶ１は垂直映像位置によらず一定のレベルに設定されている。そしてレベル切換制御回路１８から発生する垂直方向および水平方向のレベル制御信号はそれぞれ２次元輪郭強調回路２２に入力されている。
【００２６】
２次元輪郭強調回路２２は、映像信号処理回路１４からの映像信号をレベル制御信号にしたがって強調して輪郭を強調するための信号を生成する輪郭強調手段として構成されており、具体的には、図３に示すように、垂直輪郭強調回路２６、水平輪郭強調回路２８を備えて構成されている。輪郭強調回路２６は、垂直ＨＰＦ（Ｈｉｇｈ  Ｐａｔｈ  Ｆｉｌｔｅｒ）、係数器３４、加算器３６を備えて構成されており、入力端子３０が映像信号処理回路１４に接続され、制御端子３８がレベル切換制御回路１８に接続されている。水平輪郭強調回路２８は、水平ＨＰＦ４０、係数器４２、加算器４４を備えて構成されており、水平ＨＰＦ４０と加算器４４の入力側が加算器３６の出力側に接続され、係数器４２の制御端子４６がレベル切換制御回路１８に接続されている。
【００２７】
垂直輪郭強調回路２６は、映像信号処理回路１４で処理された映像信号を入力端子３０から取り込み、入力された映像信号に対して垂直方向の高域成分のみを垂直ＨＰＦ３２で抽出し、抽出された高域成分の信号を係数器３４に入力するようになっている。この係数器３４においては、高域成分の信号に係数αがゲインとして掛け算され、掛け算された信号が加算器３６に入力されるようになっている。この係数αは、レベル切換制御回路１８からの垂直方向におけるレベル制御信号によってその値が調整されるようになっている。そして加算器３６において入力端子３０から入力された映像信号と係数器３４からの信号とが加算されると、垂直方向に輪郭を強調した映像信号が生成される。すなわち、元の映像信号に、高域成分に係数をα倍したレベルの信号を付加することで、垂直方向に輪郭が強調された映像信号が生成される。そして加算器３６によって生成された映像信号は加算器４４と水平ＨＰＦに入力される。この映像信号は水平ＨＰＦにおいて水平方向の高域成分のみが抽出される。この高域成分の信号は係数器４２で係数β倍されて加算器４４に入力される。この係数βは高域成分のゲインとして、レベル切換制御回路１８からの水平方向におけるレベル制御信号によってその値が調整されるようになっている。そして加算器４４において加算器３６からの映像信号と係数器４２からの信号がと加算されると、水平方向に輪郭を強調した映像信号が生成され、出力端子２４からは、水平方向および垂直方向に輪郭を強調した映像信号が出力される。
【００２８】
上記構成において、画面の表示形態として、単一画面によるスムーズワイドモードが指定されると、この指定にしたがった各種の指令が映像信号処理回路１４、映像位置制御回路１６、レベル切換制御回路１８に入力される。そして入力端子１０に入力された映像信号に対して映像信号処理回路１４においてアスペクト比の変換処理が行われる。アスペクト比の変換処理が行われた映像信号は２次元輪郭強調回路２２に入力される。一方、入力端子１０に入力された映像信号に対して垂直方向と水平方向の位置が映像位置制御回路１６によって検出される。そして映像位置制御回路１６から水平方向と垂直方向の位置信号がレベル切換制御回路１８に入力されると、レベル切換制御回路１８からは、図２に示すように、レベルＨ１にしたがった水平方向のレベル制御信号とレベルＶ１にしたがった垂直方向のレベル制御信号がそれぞれ２次元輪郭強調回路２２に入力される。このとき、映像信号処理回路１４で処理された映像信号に対してレベルＶ１、Ｈ１にしたがった高域成分の信号が付加されると、垂直方向および水平方向に輪郭を強調した映像信号が生成される。この映像信号が受像管に伝送されると、画面上には、
図２に示すような映像が表示される。すなわち、真円の映像をスムーズワイドで表示する場合、これらの映像は、垂直方向には画面の上から下まで均一のレベルで輪郭の強調された状態で表示され、水平方向については、画面中央部で、輪郭の強調のレベルが一定の状態で表示され、画面の左右両側になるにしたがって輪郭の強調レベルが徐々に強められた状態で表示される。
【００２９】
このように、本実施形態による輪郭強調動作を行うことで、映像の左右両サイドの精鋭度を高めて輪郭のぼけ感を改善し、画面の左右両端まで映像の切れ味を良くすることで高画質なスムーズワイド画面を実現できる。すなわち、画面中央部両側における輪郭強調レベルを徐々に高くしているため、同じ幅の縦線をスムーズワイドの表示形態で表示しても、輪郭強調レベルが高くなるにしたがって線の幅が細くなるため、左右両側の画面に拡大された映像を表示しても、全体としては、ほぼ同一の幅の縦線を表示することができる。
【００３０】
前記実施形態においては、映像を左右両側で拡大して表示する場合、偏向回路を用いて拡大する方式や、メモリを用いて信号処理によって拡大する方式にも本発明を適用することができる。
【００３１】
次に、画面の表示形態としてノーマルモードが選択されたときの動作を図４にしたがって説明する。
【００３２】
単一画面にノーマルモードによる映像を表示すると、４：３のアスペクト比の映像信号による映像が中央部にそのまま表示され、中央部両側の画面には映像が何も表示されない状態にある。この場合、レベル切換制御回路１８におけるレベル制御信号のうち垂直方向のレベル制御信号はレベルＶ１に設定され、垂直映像位置によらず一定の値に設定されている。一方、水平方向におけるレベル制御信号は、レベルＨ２として設定されている。このレベルＨ２は、画面中央部の輪郭強調レベルが画面両側の輪郭強調レベルよりも強い（大きい）値に設定され、中央部のレベルと両側のレベルとの境界の領域のレベルは画面中央部から画面両側の領域に移るにしたがってレベルが徐々に弱く（小さく）なるように設定されている。
【００３３】
ノーマルモードによる表示形態においてレベルＶ１、Ｈ２にしたがって輪郭強調動作を行うと、画面中央部と画面両側との境界の領域に対応した輪郭強調レベルが徐々に弱くなる値に設定されているため、画面両側のエッジ部分に疑似輪郭が生じるのを防止することができるとともに、画面中央部に表示される映像に対しては全体の輪郭を強調することができ、違和感のない高画質な水平圧縮画面を実現することができる。
【００３４】
次に、２つの画面を左右同時に表示する場合の実施形態を図５にしたがって説明する。
【００３５】
本実施形態においては、入力端子１０、１２に入力された映像信号に対して映像信号処理回路１４で２画面を同時に表示するための処理を行うとともに、レベル切換制御回路１８のレベル制御信号として、水平方向については輪郭強調レベルＨ３が設定され、垂直方向については、右画面用に輪郭強調レベルＶ１が設定され、左画面には輪郭強調レベルＶ２が設定され、その他の構成は前記実施形態と同様である。
【００３６】
２つの画面を左右同時に表示するに際して、本実施形態では、左画面に一般映像を表示し、右画面には文字や図形などを表示し、左右の画面で絵柄が異なる場合には、左画面の輪郭強調レベルＶ２を強くし、右画面の輪郭強調レベルＶ１を弱くしている。これにより、一般映像では輪郭強調レベルを強くして精鋭度を保ち、文字や図形のような映像では輪郭強調レベルを弱くして疑似輪郭が発生するのを防止することができる。
【００３７】
一方、水平方向については、左画面の映像が始まる部分から輪郭強調レベルを一定のレベルとし、左画面の終了するエッジ部分では徐々に輪郭強調レベルを弱くし、映像が切り替わった位置から徐々に輪郭強調レベルを強くして左画面の映像が始まる部分では輪郭強調レベルを一定レベルの強さとしている。このような輪郭強調レベルを採用すると、水平方向と垂直方向ともに、一般映像では輪郭強調レベルを強くして精鋭度を保ち、文字や図形などの映像では輪郭強調レベルを弱くして疑似輪郭が発生するのを防止することができる。
【００３８】
本実施形態においては、２つの画面を左右に同時に表示する場合、各画面の絵柄に応じて各画面の輪郭強調レベルを設定するとともに、各画面の境界の部分には輪郭強調レベルが徐々に弱くなるレベルを設定するようにしたため、各画面の境界の部分、すなわち映像の切り替わりのエッジ部分に疑似輪郭が発生するのを防止することができるとともに、各画面に画面の絵柄に応じた輪郭強調を行うことができ、精鋭度の改善され、違和感のない高画質な２画面を表示することができる。
【００３９】
次に、全体画面に子画面を同時に表示するＰ  ｉｎ  Ｐ（Ｐｉｃｐｕｒｅ  ｉｎ  Ｐｉｃｔｕｒｅ）の実施形態を図６にしたがって説明する。
【００４０】
本実施形態においては、入力端子１０、１２から入力された映像信号に対して、映像信号処理回路１４において一方の映像信号を全体画面に表示するための処理を行い、他方の映像信号に対しては、子画面に表示するための処理を行い、レベル切換制御回路１８のレベル制御信号として、垂直方向のレベル制御信号に対しては輪郭強調レベルＶ３にしたがったレベルを設定し、水平方向については、輪郭強調レベルＨ４にしたがったレベルを設定したものである。
【００４１】
親画面の右下に子画面を表示するに際しては、垂直方向については子画面の上下の映像の切り替わるエッジ部分で輪郭強調レベルを弱くし、水平方向についても同様に、子画面の上下の映像の切り替わるエッジ部分では輪郭強調レベルを弱くしている。すなわち画面の境界部分では輪郭強調レベルを徐々に弱め、さらに子画面に文字などの映像を表示するときには水平方向の輪郭強調レベルを親画面の輪郭強調レベルよりも弱くする方式を採用している。
【００４２】
本実施形態においては、親画面と子画面の境界の部分の輪郭強調レベルを徐々に弱めるようにしているため、親画面と子画面との境界の部分に疑似輪郭が発生するにを防止することができる。さらに、親画面と子画面にはそれぞれ最適な輪郭強調レベルを設定しているため、精鋭度の改善を図ることができるとともに、表示画面の形態に応じて、違和感のない高画質な親子画面を表示することができる。
【００４３】
次に、画面を９分割して各画面に映像を同時に表示する場合の実施形態を図７にしたがって説明する。
【００４４】
本実施形態においては、映像信号処理回路１４に９つの映像信号を入力し、映像信号処理回路１４において各映像信号に対して９画面に同時に映像を表示するための処理を行うとともに、レベル切換制御回路１８のレベル制御信号として、水平方向のレベル制御信号の輪郭強調レベルをレベルＨ５にしたがって設定し、垂直方向におけるレベル制御信号の輪郭強調レベルをレベルＶ４にしたがって設定する。
【００４５】
画面を９分割して各画面に同時に映像を表示するに際しては、各画面の垂直方向および水平方向における輪郭強調レベルはレベルＶ４、Ｈ５で示すように、各画面の絵柄に応じて設定されているとともに、各画面の境界の部分の輪郭強調レベルはそのレベルが徐々に弱くなるように設定されている。
【００４６】
すなわち、本実施形態においては、垂直方向については各分割画面の上下の映像の切り替わるエッジ部分で輪郭強調レベルを弱くし、水平方向についても同様に各分割画面の左右の映像の切り替わるエッジ部分で輪郭強調レベルを弱くするようにしている。さらに各分割画面のおいては、各画面ごとにそれぞれ独立に垂直方向と水平方向で最適な輪郭強調レベルとしている。
【００４７】
本実施形態においては、各分割画面の境界の部分の輪郭強調レベルを徐々に弱くするようにしているため、各分割画面の境界の部分に疑似輪郭が発生するのを防止することができる。さらに各分割画面独立に最適な輪郭強調レベルを設定しているため、表示画面の表示形態に応じて違和感のない高画質な９画面を同時に表示することができる。
【００４８】
前記各実施形態においては、レベルＶ１〜Ｖ４、Ｈ１〜Ｈ５にしたがって輪郭を強調するものについて述べたが、画面の表示形態に応じて、任意の画面位置で水平方向と垂直方向について任意の輪郭強調レベルを設定することで、画面の表示形態に応じて任意の画面位置で任意のレベルの輪郭強調を行うことができる。
【００４９】
また映像信号処理回路１４には２系統の映像信号が入力されるように記載されているが、２系統の映像信号が入力されたときに２画面を表示するときには、分割画面のうち２画面を動画とすることができ、それ以上の分割画面を２系統で表示するときには静止画となる。また複数画面を同時に動画で表示するときには、動画画面の数だけ独立の系統で映像信号処理回路１４に映像信号を入力することで各画面に動画を表示することができる。
【００５０】
次に、映像信号として字幕の含まれた映画などの映像信号が入力された場合に適した実施形態を図８にしたがって説明する。
【００５１】
本実施形態は、入力端子１０から映像信号処理回路１４に入力される映像信号に重畳された字幕を検出して字幕検出信号を出力する字幕検出手段としての字幕信号検出回路４８を設け、字幕検出信号に応答して画面表示形態制御回路２０から映像信号処理回路１４、映像位置制御回路１６、レベル切換制御回路１８に対して字幕の有無に応じた指令を出力するようにしたものであり、レベル切換制御回路１８のレベル制御信号は、図９に示すように、水平方向の輪郭強調レベルとして、映像部分についてはレベルＨ６が設定され、字幕部分についてはレベルＨ７が設定され、垂直方向についてはレベルＶ５が設定されている。
【００５２】
上記構成において、入力端子１０に映像信号が入力されると、この映像信号に対して、映像信号処理回路１４において映画などのサイズを表示画面に対して最適なサイズになるように信号処理が施される。さらに入力端子１０に入力された映像信号の垂直方向および水平方向の位置が映像位置制御回路１６によって検出され、検出された位置信号がレベル切換制御回路１８に入力される。さらに映像信号に重畳した字幕信号が字幕信号検出回路４８によって検出されると、字幕信号の位置に応じて輪郭を強調するための位置信号が画面表示形態制御回路２０に入力される。画面表示形態制御回路２０からは字幕の有無に応じた信号がレベル切換制御回路１８に対して出力され、レベル切換制御回路１８からは、映像部分についてはレベルＨ６、レベルＶ５にしたがったレベル制御信号が出力され、字幕部分についてはレベルＨ７、レベルＶ５にしたがったレベル制御信号が出力される。そして２次元輪郭強調回路２２において、入力された映像信号に対して字幕の有無に応じたレベル制御信号にしたがって輪郭が強調されると、映像部分に対しては字幕部分よりも輪郭強調レベルの高いレベルで輪郭が強調され、字幕部分については映像部分よりも弱い輪郭強調レベルで輪郭が強調される。
【００５３】
具体的には、垂直方向については、字幕信号検出回路４８で検出された字幕位置まで一定のレベルで輪郭強調の処理が実行され、映像部分と字幕部分のエッジ部分では徐々に輪郭強調レベルを弱くして、字幕に切り替わった位置から徐々に輪郭強調レベルを強くし、その後は一定レベルの強さとする。すなわち映像部分では輪郭強調レベルを強くして精鋭度を保ち、字幕部分については輪郭強調レベルを弱くして文字部分に疑似輪郭が発生するのを防止する。一方、水平方向については、映像部分の輪郭強調レベルを字幕部分の輪郭強調レベルよりも常に高くし、映像部分の精鋭度を保つとともに字幕部分に疑似輪郭が発生するのを防止する。
【００５４】
本実施形態においては、字幕の有無に応じて輪郭強調レベルを制御しているため、映像を字幕の有無に応じて強調することができる。また映像部分の輪郭強調レベルよりも字幕部分の輪郭強調レベルを弱く設定しているため、映像部分と字幕部分の境界に疑似輪郭が発生するのを防止することができる。また映像部分と字幕部分にはそれぞれ各画面に適した輪郭強調レベルを設定しているため、画面全体の精鋭度の改善を図ることができるとともに、表示画面の表示形態に応じて違和感のない高画質な表示を実現することができる。
【００５５】
次に、本発明の第３実施形態を図１０にしたがって説明する。
【００５６】
本実施形態は、図１に示す２次元輪郭強調回路２２の代わりに、速度変調回路５０を設けたものであり、他の構成は図１と同様である。
【００５７】
速度変調回路５０は、映像信号処理回路１４によって処理された映像信号を、レベル切換制御回路１８からのレベル制御信号にしたがって受像管の電子ビームの垂直方向と水平方向の速度を変調するための速度変調信号に変換する速度変調手段として構成されている。すなわち、速度変調回路５０は、レベル切換制御回路１８に設定された輪郭強調レベルが高くなったときには電子ビームの速度を高めるための速度変調信号を生成し、輪郭強調レベルが低くなったときには電子ビームの速度を低下するための速度変調信号を生成するようになっている。例えば、水平方向について、レベル制御信号として、図２に示すようなレベルＨ１が設定されているときには、画面の中央部分よりも両側に行くにしたがってビームの速度が高くなる速度変調信号が生成される。そして、画面の両側に行くにしたがってビームの速度を速くすると、画面の両側に行くにしたがって映像の幅が狭くなる。このため、画面の表示形態として、１画面にスムーズワイドによる映像を表示するモードが選択されたときに、同一幅の縦線を表示すると、図１に示す実施形態と同様に、画面の両側に行くにしたがって線の幅が狭くなり、画面に拡大映像を表示しても、全体としてはほぼ同一の幅の縦線を表示することができ、両側の精鋭度を高めることができる。
【００５８】
また水平方向のビームの速度をレベルＨ２〜Ｈ７にしたがったレベルで電子ビームの速度を制御すれば、画面の境界の部分に疑似輪郭が発生するのを防止することができる。
【００５９】
本実施形態においては、字幕信号検出回路４８を設けることで、図８に示す実施形態と同様な効果を得ることができる。
【００６０】
次に、本発明の第４実施形態を図１１にしたがって説明する。
【００６１】
本実施形態は、２次元輪郭強調回路２２の出力側に速度変調回路５０を設けたものであり、他の構成は図１と同様である。速度変調回路５０は、２次元輪郭強調回路２２によって垂直方向と水平方向についてそれぞれ独立に輪郭が強調された映像信号を、レベル切換制御回路１８からのレベル制御信号にしたがって受像管の電子ビームの垂直方向と水平方向の速度を独立に変調するための速度変調信号に変換するようになっている。
【００６２】
本実施形態においては、映像信号処理回路１４で処理された映像信号に対して２次元輪郭強調回路２２と速度変調回路５０によって垂直方向と水平方向についてそれぞれ輪郭が強調された信号が生成されるため、レベル切換制御回路１８に設定するレベル制御信号としては、各回路による輪郭強調の度合いを考慮して設定することができる。また速度変調回路５０を映像信号処理回路１４の出力側に配置し、速度変調回路５０の出力側に２次元輪郭強調回路２２を配置する構成を採用することもできる。
【００６３】
本実施形態においては、映像信号処理回路１４で処理された映像信号に対して２次元輪郭強調回路２２で輪郭を強調するための処理を施し、この映像信号を用いて速度変調回路５０によって受像管の電子ビームの速度を変調して輪郭を強調するようにしたため、各回路の組み合わせによる効果によって輪郭を強調することができる。このため、スムーズワイドモードによって映像を表示するときには両サイドの映像の精鋭度を高めることができる。さらに複数の画面を同時に表示するときには、各画面の境界の領域に疑似輪郭が発生するのを防止することができる。
【００６４】
また本実施形態においては、字幕信号検出回路４８を設けることで、図８と同様な効果を得ることもできる。
【００６５】
【発明の効果】
以上説明したように、本発明によれば、複数の表示画面の表示形態に応じて最適な輪郭強調を行うことができ、精鋭度の改善を図ることができるとともに違和感のない高画質な画像を表示することができる。
【図面の簡単な説明】
【図１】本発明の第１実施形態を示す映像信号処理装置のブロック構成図である。
【図２】画面の第１の表示形態を説明するための図である。
【図３】２次元輪郭強調回路のブロック構成図である。
【図４】画面の第２の表示形態を説明するための図である。
【図５】画面の第３の表示形態を説明するための図である。
【図６】画面の第４の表示形態を説明するための図である。
【図７】画面の第５の表示形態を説明するための図である。
【図８】本発明の第２実施形態を示すブロック構成図である。
【図９】画面の第６の表示形態を説明するための図である。
【図１０】本発明の第３実施形態を示すブロック構成図である。
【図１１】本発明の第４実施形態を示すブロック構成図である。
【図１２】従来の表示画面の形態を説明するための図である。
【符号の説明】
１０、１２  映像信号入力端子
１４  映像信号処理回路
１６  映像位置制御回路
１８  レベル切換制御回路
２０  画面表示形態制御回路
２２  ２次元輪郭強調回路
４８  字幕信号検出回路
５０  速度変調回路
【図１】
0003584362.tif 000002
【図２】
0003584362.tif 000003
【図３】
0003584362.tif 000004
【図４】
0003584362.tif 000005
【図５】
0003584362.tif 000006
【図６】
0003584362.tif 000007
【図７】
0003584362.tif 000008
【図８】
0003584362.tif 000009
【図９】
0003584362.tif 000010
【図１０】
0003584362.tif 000011
【図１１】
0003584362.tif 000012
【図１２】
0003584362.tif 000013